(57)【要約】【課題】印刷物の放置に伴う第３者による印刷物の閲覧、取り間違えを防ぐ。【解決手段】ユーザからの印刷ジョブ要求を受信する受信手段１１と、ユーザからの印刷ジョブ要求に基づき画像形成を行う画像形成手段１２と、前記画像形成手段により印刷された印刷物を保管する印刷物保管手段１４と、ユーザ登録を行ったユーザの情報を記憶するユーザ情報記憶手段１６と、印刷物を取り出そうとするユーザからユーザ情報を読み取るユーザ情報読取手段１７と、前記ユーザ情報読取手段により読み取ったユーザ情報を持つユーザを、前記ユーザ情報記憶手段内から見つけ出すユーザ情報検索手段１８と、前記ユーザ情報検索手段により見つけ出されたユーザの印刷物の前記印刷物保管手段内での位置情報を求める対応管理手段１９と、前記対応管理手段により求められた印刷物の位置情報に応じた印刷物を前記印刷物保管手段から選択的に排出する印刷物選択的排出手段２０と、を備える画像形成装置。【選択図】図１
2007152798.tif 000002
【特許請求の範囲】
【請求項１】
ユーザからの印刷ジョブ要求を受信する受信手段と、ユーザからの印刷ジョブ要求に基づき画像形成を行う画像形成手段と、前記画像形成手段により印刷された印刷物を保管する印刷物保管手段と、ユーザ登録を行ったユーザの情報を記憶するユーザ情報記憶手段と、印刷物を取り出そうとするユーザからユーザ情報を読み取るユーザ情報読取手段と、前記ユーザ情報読取手段により読み取ったユーザ情報を持つユーザを、前記ユーザ情報記憶手段内から見つけ出すユーザ情報検索手段と、前記ユーザ情報検索手段により見つけ出されたユーザの印刷物の前記印刷物保管手段内での位置情報を求める対応管理手段と、前記対応管理手段により求められた印刷物の位置情報に応じた印刷物を前記印刷物保管手段から選択的に排出する印刷物選択的排出手段と、を備えることを特徴とする画像形成装置。
【請求項２】
請求項１に記載の画像形成装置において、前記印刷物保管手段に一定時間経過後も印刷物が保管されている場合にユーザに対し回収を促すように通知する回収通知手段と、前記回収通知手段による通知後も印刷物が回収されない場合に、前記印刷物保管手段に保管されている任意の印刷物を排出する権限を持った管理者を設定する管理者設定手段と、を備えることを特徴とする画像形成装置。
【請求項３】
請求項２に記載の画像形成装置において、第３者に見られてもよい印刷物を印刷する場合のための通常排紙トレイと、ネットワークを通じてつながるユーザ端末において前記通常排紙トレイを使用する通常印刷か前記印刷物保管手段を使用するセキュリティ印刷かを選択する印刷セキュリティ選択手段と、を備えることを特徴とする画像形成装置。
【発明の詳細な説明】
【技術分野】
【０００１】
本発明は、複写機、プリンタ、複合機などの画像形成装置に関し、特に印刷物の取り忘れ及び取り間違えによる情報漏洩の防止技術に特徴のある画像形成装置に関する。
【背景技術】
【０００２】
印刷ジョブ要求を出したユーザが印刷物を即座に取りに行かない場合、排紙トレイが剥き出しの画像形成装置では、印刷物が排紙トレイ上に放置され、第３者による印刷物の閲覧や、印刷物の取り間違えが起こる危険性があった。
この問題を解決する従来技術として、排紙トレイに印刷物が放置されていることを検出しユーザに通知する技術（特許文献１参照）や、ユーザから要求された印刷ジョブを一時的に複合機に蓄積しておき、ユーザ認証を行った上で印刷ジョブを実行し印刷物を出力する技術（特許文献２参照）や、ロック付の印刷物取り出し口を複数設けユーザ認証によりロックの解除を行うことで印刷物を密閉する技術（特許文献３参照）や、画像形成装置内に印刷物収容手段を設けユーザ認証により印刷物収容手段から認証が取れたユーザの印刷物を選択的に排出する技術（特許文献４参照）がある。
【特許文献１】特開２００５−１４４８４５公報
【特許文献２】特開平１１−０２８８５０号公報
【特許文献３】特開２００４−３３１２３８公報
【特許文献４】特開２００２−２３４２３４公報
【発明の開示】
【発明が解決しようとする課題】
【０００３】
上記の従来技術では以下の問題点があった。
特許文献１に記載されたような、排紙トレイに印刷物が放置されていることを検出しユーザに通知する技術では、ユーザが印刷物を取りに来るまでの間に第３者による印刷物の閲覧、取り間違いが起こる可能性がある。
特許文献２に記載されたような、ユーザから要求された印刷ジョブを一時的に複合機に蓄積しておき、ユーザ認証を行った上で印刷ジョブを実行し印刷物を出力する技術では、ユーザは認証を行った後、印刷開始から印刷終了まで待つ必要がある。
特許文献３に記載されたような、ロック付の印刷物取り出し口を複数設けユーザ認証によりロック解除する技術では、印刷物取り出し口の数によりユーザ数が限定される問題がある。
特許文献４に記載されたような、画像形成装置内に印刷物収容手段を設けユーザ認証により印刷物収容手段から認証が取れたユーザの印刷物を選択的に排出する技術では、ユーザが印刷物を放置した場合にユーザに印刷物が放置されていることを報知する手段がないため、印刷物収容手段に印刷物が蓄積され、印刷物収容手段の容量を超えてしまうという問題がある。
そこで本発明は、印刷物の放置に伴う第３者による印刷物の閲覧、取り間違えを防ぎ、且つユーザからの印刷ジョブ要求を受けるとユーザ認証を待たずに印刷を開始し、且つユーザ数を限定しないこと、刷物の放置により印刷物保管手段の容量が限界に達しないこと、第３者に見られても良い印刷物の排出手段も持つこと、の全ての用件を満たすことができる画像形成装置を提供することを目的とする。
【課題を解決するための手段】
【０００４】
前記目的を達成するために、請求項１記載の発明は、ユーザからの印刷ジョブ要求を受信する受信手段と、ユーザからの印刷ジョブ要求に基づき画像形成を行う画像形成手段と、前記画像形成手段により印刷された印刷物を保管する印刷物保管手段と、ユーザ登録を行ったユーザの情報を記憶するユーザ情報記憶手段と、印刷物を取り出そうとするユーザからユーザ情報を読み取るユーザ情報読取手段と、前記ユーザ情報読取手段により読み取ったユーザ情報を持つユーザを、前記ユーザ情報記憶手段内から見つけ出すユーザ情報検索手段と、前記ユーザ情報検索手段により見つけ出されたユーザの印刷物の前記印刷物保管手段内での位置情報を求める対応管理手段と、前記対応管理手段により求められた印刷物の位置情報に応じた印刷物を前記印刷物保管手段から選択的に排出する印刷物選択的排出手段とを備える画像形成装置を最も主要な特徴とする。
請求項２記載の発明は、請求項１の画像形成装置であって、前記印刷物保管手段に一定時間経過後も印刷物が保管されている場合にユーザに対し回収を促すように通知する回収通知手段と、前記回収通知手段による通知後も印刷物が回収されない場合に、前記印刷物保管手段に保管されている任意の印刷物を排出する権限を持った管理者を設定する管理者設定手段とを備える画像形成装置を主要な特徴とする。
請求項３記載の発明は、請求項２の画像形成装置であって、第３者に見られてもよい印刷物を印刷する場合のための通常排紙トレイと、ネットワークを通じてつながるユーザ端末において前記通常排紙トレイを使用する通常印刷か前記印刷物保管手段を使用するセキュリティ印刷かを選択する印刷セキュリティ選択手段とを備える画像形成装置を主要な特徴とする。
【発明の効果】
【０００５】
本発明の画像形成装置は、印刷物の放置に伴う第３者による印刷物の閲覧、取り間違えを防ぎ、且つユーザからの印刷ジョブ要求を受けるとユーザ認証を待たずに印刷を開始し、且つユーザ数を限定しないこと、刷物の放置により印刷物保管手段の容量が限界に達しないこと、第３者に見られても良い印刷物の排出手段も持つこと、の全ての用件を満たすことができる。
【発明を実施するための最良の形態】
【０００６】
以下、本発明の実施形態を図面に従って説明する。
図１は本発明の実施形態に係る画像形成装置のブロック図である。画像形成装置１はネットワーク３によりユーザ端末２と接続されて、ネットワーク画像形成システムを構成している。本実施形態における画像形成装置１は、コピー機能、プリンタ機能、スキャナ機能、ファクシミリ機能を有する複合機である。
画像形成装置１は、受信手段１１、画像形成手段１２、通常排紙トレイ１３、印刷物保管手段１４、印刷セキュリティ選択手段１５、ユーザ情報記憶手段１６、ユーザ情報読取手段１７、ユーザ情報検索手段１８、対応管理手段１９、印刷物選択的排出手段２０、回収通知手段２１、管理者設定手段２２により構成される。ただし、印刷セキュリティ選択手段１５はユーザ端末２において印刷設定時に設定する。
受信手段１１は、従来の画像形成装置における受信手段と同様にユーザからの印刷ジョブ要求を受信する手段である。画像形成手段１２は、従来の画像形成装置と同様のものであり、ユーザからの印刷ジョブ要求に基づき画像形成を行う手段である。
【０００７】
図２は受信手段が受け取る印刷ジョブ情報を示す図である。印刷ジョブ情報は、ジョブを識別するためのジョブＩＤ、ユーザ端末２のＩＰアドレス、セキュリティ選択情報（後述する印刷セキュリティ選択手段１５により設定する）、プリントデータを含むものとする。
ユーザがインターネット経由で印刷ジョブを要求する場合はＩＰアドレスの代わりに電子メールアドレスが使用されるものとする。以下、ユーザがインターネット経由の場合は、ＩＰアドレスを電子メールアドレスに置き換えるものとする。
後述する印刷物選択的排出手段２０により印刷物が排出されると、その排出された印刷物の印刷ジョブ情報は削除される。通常排紙トレイ１３は、従来の画像形成装置の排紙トレイと同様のものであり、印刷物がトレイ上に剥き出しとなるため、誰でも印刷物を手にすることができる。
印刷物保管手段１４は、印刷物を外部に露出しないように容器で覆い、かつ後述する印刷物選択的排出手段４によって排出される印刷物だけを排出するための排出口がある。この排出口の大きさは印刷物が自動的に排出される分には十分であるが、人為的に外から紙を取り出すのは不可能な大きさである。
【０００８】
図３は印刷物保管手段１４に印刷物が保管される際に、後述する対応管理手段１９に登録される印刷物に関する情報である印刷物情報を示す図である。印刷物情報はジョブＩＤと、各印刷物の印刷物保管手段１４内での位置情報と、印刷物の印刷終了時刻と現在時刻との差より求められる経過時間情報とから成る。後述する印刷物選択的排出手段２０により印刷物が排出されると、その排出された印刷物の印刷物情報の削除と位置情報の更新が行われる。
印刷セキュリティ選択手段１５は、通常排紙トレイ１３を使用する通常印刷を行うか、印刷物保管手段１４を使用するセキュリティ印刷を行うかを選択する手段であり、ユーザは印刷設定時に選択を行う。印刷セキュリティ選択手段１５により選択したセキュリティ選択情報は図２の印刷ジョブ情報の中に含まれる。
ユーザ情報記憶手段１６は、画像形成装置１を利用したいユーザが事前にユーザ登録したユーザ情報を記憶しておく手段である。図４はユーザ情報記憶手段１６が記憶するユーザ情報を示す図である。ユーザ情報はユーザＩＤ、パスワード、ＩＰアドレスから成る。
ユーザ情報読取手段１７は、印刷物を取り出そうとするユーザからユーザ情報のうちのユーザＩＤとパスワードを読み取る手段である。ユーザ情報読取手段１７としては、ＩＣカードリーダライタもしくは画像形成装置１の図示しない操作パネルからを採用できる。
ユーザ情報検索手段１８は、ユーザ情報読取手段１７から得たユーザＩＤとパスワードを持つユーザを、ユーザ情報記憶手段１６内を検索することにより見つけ出す手段である。以上のユーザ情報記憶手段１６とユーザ情報読取手段１７とユーザ情報検索手段１８によってユーザ認証が行われる。
【０００９】
対応管理手段１９は、図２の印刷ジョブ情報と図３の印刷物情報と図４のユーザ情報との間の対応を管理できる手段である。対応管理手段１９がユーザ認証を行ったユーザの印刷物の印刷物保管手段１４内での位置情報を割り出すまでの手順を説明する。
まず、図４のユーザ情報を基にユーザ認証の取れたユーザのＩＰアドレスを割り出す。次に、図２の印刷ジョブ情報の中から割り出したＩＰアドレスに対応するジョブＩＤを求める。そして、図３の印刷物情報の中から求められた印刷ジョブＩＤに対応する印刷物の印刷物保管手段１４内での位置情報を割り出す。
印刷物選択的排出手段２０は、印刷物保管手段１４により保管されている印刷物の中から、対応管理手段１９により求められた印刷物の位置情報を持つ印刷物を選択的に排出する手段である。
回収通知手段２１は、印刷物保管手段１４においてある一定の時間経過後も印刷物が保管されている場合、つまり印刷物情報の経過時間情報がある一定の値を超えた場合、ユーザに対しＩＰアドレスを基に印刷物の回収を促すように通知する手段である。ここで、ある一定の時間とはユーザに回収通知を行うかどうかを判定する際の経過時間の基準を指し、後述する管理者により任意にその値を設定できるものとする。
管理者設定手段２２は、回収通知手段２１による通知後も印刷物が回収されない場合やユーザがユーザ認証を忘れた場合や装置の故障の場合に備え、対応管理手段１９にアクセスし印刷ジョブ情報とユーザ情報と印刷物情報の読み書きや削除が行える権限や、印刷物保管手段１４に保管されている任意の印刷物を排出する権限を持つ管理者を設定する手段である。
【００１０】
（第１の実施形態）
通常排紙トレイ１３は第３者に見られてもよい印刷物を印刷する場合に使用する。この場合のフローを図５に示す。
ユーザはユーザ端末２において印刷設定を行う際に印刷セキュリティ選択手段１５により通常印刷を選択する（Ｓ１１）。ユーザからの印刷ジョブ要求は図２に示す印刷ジョブ情報を持ち、ネットワーク３を介して画像形成装置１の受信手段１１に受信される（Ｓ１２）。
画像形成装置１は印刷ジョブ情報の中のセキュリティ選択情報が通常印刷であることを確認する（Ｓ１３）と、印刷ジョブ情報を基に画像形成手段１２により印刷を行う（Ｓ１４）。印刷された印刷物は誰でもアクセス可能な通常排紙トレイ１３上に排出される（Ｓ１５）。排出された印刷物の印刷ジョブ情報の削除を行う（Ｓ１６）。
【００１１】
（第２の実施形態）
セキュリティ印刷を行い、かつユーザが印刷物を速やかに取りに来る場合のフローを図６に示す。
セキュリティ印刷を行いたいユーザは事前にネットワーク３を経由してユーザ情報記憶手段１６にユーザ登録を行う（Ｓ２１）。ユーザ登録では図４に示すユーザ情報を登録する。ユーザはユーザ端末２において印刷設定を行う際に印刷セキュリティ選択手段１５によりセキュリティ印刷を選択する（Ｓ２２）。
ユーザからの印刷ジョブ要求は図２に示す印刷ジョブ情報を持ち、ネットワーク３を介して画像形成装置１の受信手段１１に受信される（Ｓ２３）。画像形成装置１は印刷ジョブ情報の中のセキュリティ選択情報がセキュリティ印刷であることを確認する（Ｓ２４）と、印刷ジョブ情報を基に画像形成手段１２により印刷を行う（Ｓ２５）。
印刷された印刷物は印刷物保管手段１４に保管される（Ｓ２６）。印刷物が印刷物保管手段１４に保管されると、図３に示す印刷物情報が登録される（Ｓ２７）。印刷ジョブ要求を出したユーザは画像形成装置１の印刷物保管手段１４に保管されている自分の印刷物を取りに来る（Ｓ２８）。
印刷物を取りに来たユーザからユーザ情報読取手段１７によってユーザＩＤとパスワードを読み取る（Ｓ２９）。読み取ったユーザＩＤとパスワードを持つユーザを、ユーザ情報検索手段１８によりユーザ情報記憶手段１６内から検索する（Ｓ３０）。
検索によりユーザを見つけ出すことができなかった場合（Ｓ３０：Ｎｏ）、つまりユーザ認証に失敗した場合、再度ユーザ情報読取手段１７によるユーザ情報の読取が行われる。検索によりユーザを特定することができた場合（Ｓ３０：ＹＥＳ）、その特定したユーザのＩＰアドレスを対応管理手段１９により求める（Ｓ３１）。求めたＩＰアドレスに対応するジョブＩＤを対応管理手段１９により求める（Ｓ３２）。求めたジョブＩＤに対応した印刷物情報から位置情報を得る（Ｓ３３）。
【００１２】
ここで、図２の印刷ジョブ情報と図３の印刷物情報と図４のユーザ情報を使用して、ユーザＩＤがＡであるユーザがセキュリティ印刷を行う場合のＳ２９〜Ｓ３３を説明する。
Ｓ２９では、ユーザ情報読取手段１７により、ユーザＩＤとパスワードを読み取る。Ｓ３０では、読み取ったユーザＩＤ（Ａ）とパスワード（＊＊＊＊＊）を持つユーザを、ユーザ情報記憶手段１６の中からユーザ情報検索手段１８により求める。Ｓ３１では、対応管理手段１９により、ユーザ情報を基にＳ３０で求めたユーザのＩＰアドレス（１９２．１６８．０．０）を求める。
Ｓ３２では、対応管理手段１９により、印刷ジョブ情報を基にＳ３１で求めたＩＰアドレス（１９２．１６８．０．０）に対応するジョブＩＤ（１１）を求める。Ｓ３３では、対応管理手段１９により、印刷物情報を基にＳ３２で求めたジョブＩＤ（１１）に対応する印刷物の位置情報（６）を求める。
得た位置情報の印刷物を印刷物選択的排出手段２０により排出する（Ｓ３４）。
印刷物が排出されると、該当印刷物情報と印刷ジョブ情報の削除と、位置情報の更新を行う（Ｓ３５）。
【００１３】
（第３の実施形態）
セキュリティ印刷を行い、かつユーザが印刷物を速やかに取りに来ず、回収通知手段２１により通知する場合のフローを図７に示す。
セキュリティ印刷を行いたいユーザは事前にネットワーク３を経由してユーザ情報記憶手段１６にユーザ登録を行う（Ｓ４１）。ユーザ登録の際には図４に示すユーザ情報を登録する。ユーザはユーザ端末２において印刷設定を行う際に印刷セキュリティ選択手段１５によりセキュリティ印刷を選択する（Ｓ４２）。
ユーザからの印刷ジョブ要求は図２に示す印刷ジョブ情報を持ち、ネットワーク３を介して画像形成装置１の受信手段１１に受信される（Ｓ４３）。画像形成装置１は印刷ジョブ情報の中のセキュリティ選択情報がセキュリティ印刷であることを確認する（Ｓ４４）と、印刷ジョブ情報を基に画像形成手段１２により印刷を行う（Ｓ４５）。
印刷された印刷物は印刷物保管手段１４に保管される（Ｓ４６）。印刷物が印刷物保管手段１４に保管されると、図３に示す印刷物情報が登録される（Ｓ４７）。印刷物情報の経過時間情報がある一定の値を超える（Ｓ４８）と、対応管理手段１９により経過時間情報がある一定の値を超えてしまった印刷物に対応するジョブＩＤが割り出される（Ｓ４９）。
対応管理手段１９により割り出されたジョブＩＤに対応するＩＰアドレスが求められる（Ｓ５０）。回収通知手段２１により求められたＩＰアドレス宛てに保管したままになっている印刷物を回収するようにユーザ端末２にネットワーク３を介して通知する（Ｓ５１）。
【００１４】
印刷ジョブ要求を出したユーザは画像形成装置１の印刷物保管手段１４に保管されている自分の印刷物を取りに来る（Ｓ５２）。印刷物を取りに来たユーザからユーザ情報読取手段１７によってユーザＩＤとパスワードを読み取る（Ｓ５３）。読み取ったユーザＩＤとパスワードを持つユーザを、ユーザ情報検索手段１８によりユーザ情報記憶手段１６内から検索する（Ｓ５４）。
検索によりユーザを見つけ出すことができなかった場合（Ｓ５４：ＮＯ）、つまりユーザ認証に失敗した場合、再度ユーザ情報読取手段１７によるユーザ情報の読取が行われる。検索によりユーザを特定することができた場合（Ｓ５４：ＹＥＳ）、その特定したユーザのＩＰアドレスを対応管理手段１９により求める（Ｓ５５）。
求めたＩＰアドレスに対応したジョブＩＤを対応管理手段１９により求める（Ｓ５６）。求めたジョブＩＤに対応した印刷物情報から位置情報を得る（Ｓ５７）。得た位置情報の印刷物を印刷物選択的排出手段２０により排出する（Ｓ５８）。印刷物が排出されると、該当印刷物情報と印刷ジョブ情報の削除と、位置情報の更新を行う（Ｓ５９）。
【００１５】
（第４の実施形態）
セキュリティ印刷を行い、かつユーザが印刷物を速やかに取りに来ず、また回収通知手段２１により通知を行ってもまだ印刷物が保管されている場合であり、管理者を介したセキュリティ印刷を行う場合のフローを図８に示す。
セキュリティ印刷を行いたいユーザは事前にネットワーク３を経由してユーザ情報記憶手段１６にユーザ登録を行う。ユーザ登録の際には図４に示すユーザ情報を登録する（Ｓ６１）。
管理者設定手段２２により、対応管理手段１９にアクセスし印刷ジョブ情報とユーザ情報と印刷物情報の読み書きや削除が行える権限や、印刷物保管手段１４に保管されている任意の印刷物を排出する権限を持った管理者を設定し、管理者となるユーザのユーザＩＤとパスワードとＩＰアドレスを登録する（Ｓ６２）。
ユーザはユーザ端末２において印刷設定を行う際に印刷セキュリティ選択手段１５によりセキュリティ印刷を選択する（Ｓ６３）。ユーザからの印刷ジョブ要求は図２に示す印刷ジョブ情報を持ち、ネットワーク３を介して画像形成装置１の受信手段１１に受信される（Ｓ６４）。
【００１６】
画像形成装置１は印刷ジョブ情報の中のセキュリティ選択情報がセキュリティ印刷であることを確認する（Ｓ６５）と、印刷ジョブ情報を基に画像形成手段１２により印刷を行う（Ｓ６６）。印刷された印刷物は印刷物保管手段１４に排出される（Ｓ６７）。印刷物が印刷物保管手段１４に排出されると、図３に示す印刷物情報が登録される（Ｓ６８）。
印刷物情報の経過時間情報がある一定の値を超える（Ｓ６９）と、対応管理手段１９により経過時間情報がある一定の値を超えてしまった印刷物に対応するジョブＩＤが割り出される（Ｓ７０）。対応管理手段１９により割り出されたジョブＩＤに対応するＩＰアドレスが求められる（Ｓ７１）。
回収通知手段２１により求められたＩＰアドレス宛てに保管したままになっている印刷物を回収するようにユーザ端末２にネットワーク３を介して通知する（Ｓ７２）。回収通知後も印刷物情報の経過時間がある一定の値を超える（Ｓ７３）と、管理者設定手段２２により登録した管理者のＩＰアドレス宛てに回収通知手段２１によって、管理者のユーザ端末２にユーザに通知後も印刷物が保管されたままの状態であることを通知する（Ｓ７４）。
ここである一定の時間、つまり管理者に通知するかを判定する経過時間の基準となる時間は管理者により任意に設定できるものとする。管理者が対応管理手段１９にアクセスし、回収通知後も回収されていない印刷物情報を確認する（Ｓ７５）。確認した印刷物情報を基に排出すべき印刷物を印刷物選択的排出手段２０により排出する（Ｓ７６）。印刷物が排出されると、該当印刷物情報と印刷ジョブ情報の削除と、位置情報の更新を行う（Ｓ７７）。
【００１７】
以上、実施例１乃至４について述べたが、本発明では、ユーザ単位ではなく、まとめて一つの印刷物保管手段１４に印刷物を一時的に保管しておき、ユーザ認証により印刷物を選択的に排出しているので、ユーザ数を限定することなく且つ、ユーザからの印刷ジョブ要求を受けるとユーザ認証を待たずに印刷を開始し印刷物の放置に伴う第３者による印刷物の閲覧、取り間違えを防ぐことができる。
また、印刷物を印刷物保管手段に保管していることを忘れているユーザに対し、回収するように通知する回収通知手段２１を設け、更にユーザに印刷物を回収するように通知したにもかかわらず依然としてユーザが印刷物を取りに来ない場合に対処するために、任意の印刷物を排出する権限を持った管理者を設定することで印刷物を保管している印刷物保管手段が物理的な容量の限界に達することがなくなる。
更に、第３者に見られても良い印刷物を排出するための通常排紙トレイ１３もあるので、ユーザ認証を必要としない容易な印刷も行うことができ、汎用性の高い画像形成装置となる。
【図面の簡単な説明】
【００１８】
【図１】本発明の実施形態に係る画像形成装置のブロック図である。
【図２】印刷ジョブ情報を示す図である。
【図３】印刷物情報を示す図である。
【図４】ユーザ情報を示す図である。
【図５】通常印刷処理のフロー図である。
【図６】セキュリティ印刷処理のフロー図（その１）である。
【図７】セキュリティ印刷処理のフロー図（その２）である。
【図８】セキュリティ印刷処理のフロー図（その３）である。
【符号の説明】
【００１９】
１  画像形成装置
２  ユーザ端末
１１  受信手段
１２  画像形成手段
１３  通常排紙トレイ
１４  印刷物保管手段
１５  印刷セキュリティ選択手段
１６  ユーザ情報記憶手段
１７  ユーザ情報読取手段
１８  ユーザ情報検索手段
１９  対応管理手段
２０  印刷物選択的排出手段
２１  回収通知手段
２２  管理者設定手段
【図１】
2007152798.tif 000003
【図２】
2007152798.tif 000004
【図３】
2007152798.tif 000005
【図４】
2007152798.tif 000006
【図５】
2007152798.tif 000007
【図６】
2007152798.tif 000008
【図７】
2007152798.tif 000009
【図８】
2007152798.tif 000010